(57)【要約】【課題】遊技機に対する遊技者の使用形態の容易監視化を図る。【解決手段】▲１▼遊技者がパチンコ機１の前に位置しているにもかかわらず、遊技者が発射操作機構１２を操作していない場合、▲２▼遊技者がパチンコ機１の前に位置しているとともに発射操作機構１２を操作しているにもかかわらず、遊技者が球の発射を停止すべくストップスイッチ１４を操作している場合、▲３▼遊技者がパチンコ機１の前に位置していないが、タッチ感知器１３がタッチ信号を出力している場合は、パチンコ機１の好ましくない使用形態であるので、報知器１７が点灯または点滅して報知する。【選択図】        図１
2004188054.tif 000002
【特許請求の範囲】
【請求項１】
遊技機の前側における遊技者を検出する検出器と、遊技機の遊技操作機構と、遊技機の報知器と、検出器からの遊技者検出有り信号と遊技操作機構からの操作無し信号とにより報知器を動作する制御装置とを備えたことを特徴とする遊技機使用形態監視装置。
【請求項２】
遊技機の前側における遊技者を検出する検出器と、遊技機の遊技操作機構と、遊技機の報知器と、検出器からの遊技者検出無し信号と遊技操作機構からの操作有り信号とにより報知器を動作する制御装置とを備えたことを特徴とする遊技機使用形態監視装置。
【請求項３】
検出器が遊技機の受皿の前面に設けられたことを特徴とする請求項１または請求項２記載の遊技機使用形態監視装置。
【請求項４】
報知器が遊技機の前面上部に設けられたことを特徴とする請求項１または請求項２記載の遊技機使用形態監視装置。
【発明の詳細な説明】
【０００１】
【発明の属する技術分野】
本発明はパチンコ機またはスロットマシンなどのような遊技結果の賞として換金性の有る遊技媒体を遊技者に払い出す遊技機に対する遊技者の使用形態を監視する装置に関する。
【０００２】
【従来の技術】
従来のパチンコ機はパチンコ機に設けられた表示灯部品の点灯・点滅・消灯の組み合わせで遊技が実行されていることを報知している（例えば、特許文献１参照）。
【０００３】
【特許文献１】
特開２００１−２４６０５０号公報（第１頁、要約、図１）
【０００４】
【発明が解決しようとする課題】
しかしながら、従来例は入賞に伴う遊技の状況を表示灯部品で報知する構造であるため、遊技者が球を打たない止め打ち行為や隣接するパチンコ機をも占有している行為を、店員が管理しづらいという問題点があった。
【０００５】
そこで、本発明は、遊技機に対する遊技者の使用形態を容易に監視することができる遊技機使用形態監視装置を提供するものである。
【０００６】
【課題を解決するための手段】
本発明にあっては、遊技機の前側における遊技者を検出する検出器と、遊技機の遊技操作機構と、遊技機の報知器と、検出器からの遊技者検出有り信号と遊技操作機構からの操作無し信号とにより報知器を動作する制御装置とを備えたことによって、遊技者が遊技機を占有しているものの遊技を実行しない行為のような好ましくない使用形態を報知するので、遊技店の店員が遊技機に対する遊技者の使用形態を容易に監視することができる。また、本発明にあっては、遊技機の前側における遊技者を検出する検出器と、遊技機の遊技操作機構と、遊技機の報知器と、検出器からの遊技者検出無し信号と遊技操作機構からの操作有り信号とにより報知器を動作する制御装置とを備えたことによって、遊技者が隣接する遊技機をも占有している行為のような好ましくない使用形態を報知するので、遊技店の店員が遊技機に対する遊技者の使用形態を容易に監視することができる。また、本発明にあっては、検出器が遊技機の受皿の前面に設けられれば、検出器が遊技機の前側における遊技者を適切に検出することができる。また、本発明にあっては、報知器が遊技機の前面上部に設けられれば、椅子に着座して遊技を実行している遊技者よりも上方で報知器が動作するので、遊技店の店員が報知器を一層確認しやすくなる。
【０００７】
【発明の実施の形態】
図１および図２は一実施形態であって、図１は遊技機使用形態監視装置を示し、図２は遊技機使用形態監視装置における遊技機が遊技店の遊技機設置設備２に取り付けられた監視形態の側面を示す。本実施形態では遊技機としてパチンコ機１を例として説明する。
【０００８】
図２を参照し、遊技機使用形態監視装置の監視形態について説明する。パチンコ機１の受皿３には検出器４を備える。検出器４は発光部５と受光部６とを備える一方、遊技機設置設備２の前側に設置された椅子７に着座した遊技者８に対応した範囲を反射領域９として設定する。そして、遊技者８が椅子７に着座していない場合、発光部５から発射された赤外線のような光Ｌ１が反射領域９で反射されず、受光部６での受光量が低下し、検出器４が遊技者検出無し信号を出力する。遊技者８が椅子７に着座している場合、発光部５から発射された光Ｌ１が反射領域９で反射され、受光部６での受光量が増加し、検出器４が遊技者検出有り信号を出力する。
【０００９】
図１を参照し、遊技機使用形態監視装置について説明する。遊技機使用形態監視装置はパチンコ機１の裏側に設けられた制御装置１１、パチンコ機１の前面の下部における受皿３に設けられた検出器４、受皿３の側方でパチンコ機１の遊技操作機構である発射操作機構１２に設けられたタッチ感知器１３、発射操作機構１２に設けられたストップスイッチ１４、発射操作機構１２に設けられた可変抵抗器１５、パチンコ機１の前面の上部におけるトップランプ部品１６に内蔵された表示灯である報知器１７を備える。タッチ感知器１３は発射操作機構１２の表面に金属メッキのような金属層を形成し、その金属層を配線で制御装置１１に内蔵されたタッチ検出回路に接続した形態も包括する概念である。制御装置１１はパチンコ機１の遊技および監視の双方を制御する機能を備えれば、パチンコ機１に搭載される制御装置に格納させたマイクロコンピュータを動作するＲＯＭに格納されたプログラムに監視機能を担うプログラムを付加することで、実用化できる。
【００１０】
遊技を司るプログラムとしては、大まかには、タッチ感知器１３からのタッチ信号と可変抵抗器１５からの抵抗値との双方が入力されているとともにストップスイッチ１４からのストップ信号が入力されていないことを条件としてパチンコ機１に内蔵された図外の発射機構を駆動する処理と、この発射機構の駆動で受皿３から供給された球がパチンコ機１の内部に格納された図外の遊技盤の遊技領域に発射されて図外の入賞部品に入賞するのに伴いパチンコ機１の裏側に設けられた図外の払出機構から賞球としての球を受皿３に払い出す処理とに関する情報である。監視を司るプログラムは検出器４からの検出信号とタッチ感知器１３からのタッチ信号とストップスイッチ１４からのストップ信号とでパチンコ機１の使用形態が好ましくない場合に報知器１７を駆動する処理に関する情報である。
【００１１】
この監視を実行するために、制御装置１１には監視を司るプログラムで具現化される遊技者８の存在を判断する遊技者判定手段２１、遊技者８の発射操作機構１２への接触を判断するタッチ判定手段２２、遊技者８のストップ操作を判断するストップ判定手段２３、報知器１７を駆動する報知駆動手段２４を備える。具体的には、遊技者８が椅子７に着座していない場合は、検出器４の受光部６の受光量が減少したままであることから、検出器４が遊技者検出無し信号を制御装置１１に出力する。この遊技者検出無し信号が制御装置１１に入力されることで、遊技者判定手段２１は遊技者８が当該パチンコ機１の前に存在していない判断結果を発生する。
【００１２】
また、遊技者８が椅子７に着座すると、検出器４の受光部６の受光量が増加し、検出器４が遊技者検出有り信号を制御装置１１に出力する。この遊技者検出有り信号が制御装置１１に入力されることで、遊技者判定手段２１は遊技者８が当該パチンコ機１の前に存在した判断結果を発生する。遊技者８が発射操作機構１２に触れると、タッチ感知器１３からの操作有り信号に相当するタッチ信号が制御装置１１に入力されることで、タッチ判定手段２２は遊技者８が発射操作機構１２に触れている判断結果を発生する。遊技者８が発射操作機構１２に触れなければ、タッチ感知器１３からのタッチ信号が制御装置１１に入力されない（タッチ感知器１３からのタッチ無し信号が制御装置１１に入力されるに相当する）ことで、タッチ判定手段２２は遊技者８が発射操作機構１２に触れていない判断結果を発生する。
【００１３】
遊技者８がストップスイッチ１４を操作すると、ストップスイッチ１４からの操作有り信号に相当するストップ信号が制御装置１１に入力されることで、ストップ判定手段２３は遊技者８がストップスイッチ１４を操作している判断結果を発生する。遊技者８がストップスイッチ１４を操作しなければ、ストップスイッチ１４からのストップ信号が制御装置１１に入力されない（ストップスイッチ１４からのストップ無し信号が制御装置１１に入力されるに相当する）ことで、ストップ判定手段２３は遊技者８がストップスイッチ１４を操作していない判断結果を発生する。
【００１４】
本実施形態の動作について図１のフローチャートを参照しながら説明する。制御装置１１が電力供給で起動し、検出器４の発光部５が光Ｌ１を発射した状態において、遊技者８が椅子７に着座すると、ステップ１０１における遊技者判定手段２１がＹＥＳとなり、遊技者８が椅子７に着座していなければ、ステップ１０１における遊技者判定手段２１がＮＯとなる。ステップ１０１がＹＥＳである場合は、ステップ１０２におけるタッチ判定手段２２による判定結果に応じて報知器１７を駆動するか駆動しないかの処理を行う。ステップ１０１がＹＥＳであるとともにステップ１０２がＹＥＳである場合は、ステップ１０３におけるストップ判定手段２３による判定結果に応じてステップ１０４の報知器１７を駆動するか駆動しないかの処理を行う。また、ステップ１０１がＮＯである場合はステップ１０５におけるタッチ判定手段２２による判定結果に応じてステップ１０４の報知器１７を駆動するか駆動しないかの処理を行う。
【００１５】
要するに、本実施形態によれば、次の▲１▼−▲５▼項目に分けられる報知形態が有る。▲１▼遊技者８がパチンコ機１の前に位置して発射操作機構１２を操作して球を遊技領域に向けて発射している好ましい使用形態で遊技を行っている場合は、制御装置１１が検出器４からの遊技者検出有り信号とタッチ感知器１３からのタッチ信号とを受信しているので、報知駆動手段２４は報知器１７を駆動せず、報知器１７が消灯している。
【００１６】
▲２▼遊技者８がパチンコ機１の前に位置しておらず、しかも、タッチ感知器１３がタッチ信号を出力していなければ、これもパチンコ機１の遊技をしていないという好ましい使用形態であって、制御装置１１が検出器４からの遊技者検出無し信号受信しているとともにタッチ感知器１３からのタッチ信号を受信していないので、報知駆動手段２４は報知器１７を駆動せず、報知器１７が消灯している。
【００１７】
▲３▼遊技者８がパチンコ機１の前に位置しているにもかかわらず、遊技者８が発射操作機構１２を操作していなければ、パチンコ機１の遊技を行っていない止め打ち行為である好ましくない使用形態であって、制御装置１１が検出器４からの遊技者検出有り信号を受信しているとともにタッチ感知器１３からのタッチ信号を受信していないので、報知駆動手段２４は報知器１７を駆動し、報知器１７が点灯または点滅し、好ましくない使用形態であることを報知する。
【００１８】
▲４▼遊技者８がパチンコ機１の前に位置しているとともに発射操作機構１２を操作しているにもかかわらず、遊技者８が球の発射を停止すべくストップスイッチ１４を操作していれば、パチンコ機１の遊技を行っていない止め打ち行為である好ましくない使用形態であって、制御装置１１が検出器４からの遊技者検出有り信号とタッチ感知器１３からのタッチ信号とストップスイッチ１４からのストップ信号を受信しているので、報知駆動手段２４は報知器１７を駆動し、報知器１７が点灯または点滅し、好ましくない使用形態であることを報知する。
【００１９】
▲５▼遊技者８がパチンコ機１の前に位置していないが、タッチ感知器１３がタッチ信号を出力していている場合は、隣りのパチンコ機１で遊技を行っている一人の遊技者８が複数台のパチンコ機１を占有して遊技を行うパチンコ機１の好ましくない使用形態であるので、制御装置１１が検出器４からの遊技者検出無し信号とタッチ感知器１３からのタッチ信号とを受信しているので、報知駆動手段２４は報知器１７を駆動し、報知器１７が点灯または点滅し、好ましくない使用形態であることを報知する。
【００２０】
前記▲３▼−▲５▼における報知器１７の点滅周期を相互に変えれば、例えば、▲３▼の場合に点滅周期を早く、▲４▼の場合に点滅周期を中程度とし、▲５▼の場合に点滅周期をゆっくりとするといように変えれば、好ましくない使用形態の種類も報知することができる。また、遊技機としてスロットマシンにも同様に適用することができる。その場合、発射操作機構１２をスタートレバーと呼ばれるような遊技開始操作機構と読み替え、タッチ感知器１３を複数の存在するストップスイッチと呼ばれるような図柄停止操作機構の１つと読み替え、ストップスイッチ１４をタッチ感知器１３と読み替えた以外の図柄停止操作機構と読み替える一方、遊技者がそれぞれを操作するためにそれぞれに触れている時間が短時間であることから、それぞれの操作機構におけるスイッチから制御装置に入力された信号を制御装置で自己保持する加工を行えばよい。
【図面の簡単な説明】
【図１】一実施形態の遊技機使用形態監視装置を示す模式図。
【図２】同実施形態の遊技機設置設備に取り付けられた遊技機の側面図。
【符号の説明】
１  パチンコ機
３  受皿
４  検出器
８  遊技者
１１  制御装置
１２  発射操作機構
１３  タッチ感知器
１４  ストップスイッチ
１６  トップランプ部品
１７  報知器
【図１】
2004188054.tif 000003
【図２】
2004188054.tif 000004